(57)【要約】【課題】  接着剤の外部へのはみ出しを防ぎ、機器全体の外観やデザインの向上を図るガラス取付構造を提供する。【解決手段】  時計ガラス２が配置される腕時計ケース１の上面を左右両側の端部１ａに連続する平坦面に形成し、この腕時計ケース１の上面に接着剤１０を塗布し、この腕時計ケース１の上面における接着剤１０の塗布領域Ｅの外周側に堰き止め溝１１を設けた。従って、時計ガラス２の両側端部２ａを腕時計ケース１の両側端部１ａから外部側方に露呈させた状態で、腕時計ケース１の上面に時計ガラス２を取り付けることができる。このときに、接着剤１０が腕時計ケース１の外周側に流れ出しても、堰き止め溝１１によって接着剤１０が腕時計ケース１の外部に流れ出すのを堰き止めることができる。これにより、接着剤の外部へのはみ出しを防ぎ、腕時計全体の外観やデザインの向上を図ることができる。【選択図】        図８
2009002767.tif 000002
【特許請求の範囲】
【請求項１】
下面が平坦面に形成されたガラスと、
このガラスが配置される上面に開口部が設けられ、この上面が少なくとも両側端部に連続する平坦面に形成されて前記ガラスの少なくとも両側端部が露呈するケースと、
前記開口部の内周に沿って前記ケースの前記上面に塗布された接着剤と、
前記ケースの前記上面における前記接着剤の塗布領域の外周側に設けられた堰き止め溝と
を備えていることを特徴とするガラス取付構造。
【請求項２】
前記ケースの前記上面における前記接着剤の塗布開始位置と塗布終了位置とに対応する箇所には、前記堰き止め溝に連続する接着剤溜り部が設けられていることを特徴とする請求項１に記載のガラス取付構造。
【請求項３】
前記ケースの前記上面における前記接着剤の塗布領域の内周側には、補助堰き止め溝が設けられていることを特徴とする請求項１または２に記載のガラス取付構造。
【請求項４】
前記ガラスの下面には、少なくとも前記堰き止め溝の外周側から前記補助堰き止め溝の内周側に亘る領域を覆う化粧層が設けられていることを特徴とする請求項１〜３のいずれかに記載のガラス取付構造。
【請求項５】
前記ガラスは、その外周端部が前記ケースの前記上面における外周端部よりも前記ケースの内側に位置する大きさに形成されていることを特徴とする請求項１〜４のいずれかに記載のガラス取付構造。
【請求項６】
前記ケースの前記上面における前記堰き止め溝には、これに流れ込んだ前記接着剤を溜めるための補助接着剤溜り部が設けられていることを特徴とする請求項１〜５のいずれかに記載のガラス取付構造。
【請求項７】
前記ケースの前記上面における前記堰き止め溝の外周側には、加飾部が設けられていることを特徴とする請求項１〜６のいずれかに記載のガラス取付構造。
【請求項８】
前記ケースの内部には、ソーラーパネルが前記ガラスの下面に接近して設けられ、前記ケースの前記上面には、前記開口部の内側に開放された取付凹部が設けられ、この取付凹部には、前記ガラスと前記ソーラーパネルとの間に一部が突出して配置されるスペーサ部材が設けられていることを特徴とする請求項１〜７のいずれかに記載のガラス取付構造。
【発明の詳細な説明】
【技術分野】
【０００１】
この発明は、時計などの電子機器に用いられるガラス取付構造に関する。
【背景技術】
【０００２】
従来、腕時計においては、特許文献１に記載されているように、腕時計ケースに時計ガラスを取り付ける場合、腕時計ケースの外周部に時計ガラスの外周に沿う取付段部を設け、この取付段部の内周面に接着剤を塗布して時計ガラスを嵌め込んで接着するように構成されている。このようなガラス取付構造では、時計ガラスの外周面が腕時計ケースの取付段部の内周面によって押えられるので、時計ガラスを腕時計ケースに確実に取り付けることができる。
【特許文献１】特開平０６−９４８４８号
【発明の開示】
【発明が解決しようとする課題】
【０００３】
しかしながら、このような従来のガラス取付構造では、腕時計ケースの外周部にガラスの外周面を押えるための取付段部を設ける必要があり、このため取付段部によって腕時計ケースの外観やデザインが制約を受けると共に、時計ガラスの形状も制約を受けることになり、腕時計全体の外観やデザインの向上を十分に図ることができないという問題がある。
【０００４】
また、このような従来のガラス取付構造では、腕時計ケースの取付段部の内周面に接着剤を塗布して時計ガラスを嵌め込んでいるため、接着剤が時計ガラスの端部と取付段部との間から腕時計ケースの外部にはみ出すことがあり、このはみ出した接着剤によって腕時計全体の外観やデザインが損なわれるという問題もある。
【０００５】
この発明が解決しようとする課題は、接着剤の外部へのはみ出しを防ぎ、機器全体の外観やデザインの向上を図ることができるガラス取付構造を提供することである。
【課題を解決するための手段】
【０００６】
この発明は、上記課題を解決するために、次のような構成要素を備えている。
請求項１に記載の発明は、下面が平坦面に形成されたガラスと、このガラスが配置される上面に開口部が設けられ、この上面が少なくとも両側端部に連続する平坦面に形成されて前記ガラスの少なくとも両側端部が露呈するケースと、前記開口部の内周に沿って前記ケースの前記上面に塗布された接着剤と、前記ケースの前記上面における前記接着剤の塗布領域の外周側に設けられた堰き止め溝とを備えていることを特徴とするガラス取付構造である。
【０００７】
請求項２に記載の発明は、前記ケースの前記上面における前記接着剤の塗布開始位置と塗布終了位置とに対応する箇所に、前記堰き止め溝に連続する接着剤溜り部が設けられていることを特徴とする請求項１に記載のガラス取付構造。
【０００８】
請求項３に記載の発明は、前記ケースの前記上面における前記接着剤の塗布領域の内周側に、補助堰き止め溝が設けられていることを特徴とする請求項１または２に記載のガラス取付構造である。
【０００９】
請求項４に記載の発明は、前記ガラスの下面に、少なくとも前記堰き止め溝の外周側から前記補助堰き止め溝の内周側に亘る領域を覆う化粧層が設けられていることを特徴とする請求項１〜３のいずれかに記載のガラス取付構造である。
【００１０】
請求項５に記載の発明は、前記ガラスが、その外周端部を前記ケースの前記上面における外周端部よりも前記ケースの内側に位置させる大きさに形成されていることを特徴とする請求項１〜４のいずれかに記載のガラス取付構造である。
【００１１】
請求項６に記載の発明は、前記ケースの前記上面における前記堰き止め溝に、これに流れ込んだ前記接着剤を溜めるための補助接着剤溜り部が設けられていることを特徴とする請求項１〜５のいずれかに記載のガラス取付構造である。
【００１２】
請求項７に記載の発明は、前記ケースの前記上面における前記堰き止め溝の外周側に、加飾部が設けられていることを特徴とする請求項１〜６のいずれかに記載のガラス取付構造である。
【００１３】
請求項８に記載の発明は、前記ケースの内部に、ソーラーパネルが前記ガラスの下面に接近して設けられ、前記ケースの前記上面には、前記開口部の内側に開放された取付凹部が設けられ、この取付凹部には、前記ガラスと前記ソーラーパネルとの間に一部が突出して配置されるスペーサ部材が設けられていることを特徴とする請求項１〜７のいずれかに記載のガラス取付構造である。
【発明の効果】
【００１４】
この発明によれば、ケースの上面にガラスを接着剤によって取り付けることにより、少なくともケースの両側端部に従来例のような取付段部を設ける必要がなく、ガラスの少なくとも両側端部をケースの端部から外部側方に露呈させた状態で、ケースの上面にガラスを取り付けることができ、これにより機器全体の外観やデザインの向上を図ることができる。この場合、接着剤がガラスの加圧によってケースの外周側に流れ出しても、ケースの上面における接着剤の塗布領域の外周側に設けられた堰き止め溝によって接着剤がケースの外周端部に流れ出すのを堰き止めることができ、これによっても機器全体の外観やデザインの向上を図ることができる。
【発明を実施するための最良の形態】
【００１５】
（実施形態１）
以下、図１〜図１０を参照して、この発明のガラス取付構造を腕時計に適用した実施形態１について説明する。
この腕時計は、図１〜図４に示すように、金属または合成樹脂からなる腕時計ケース１を備えている。この腕時計ケース１には、上面から下面に貫通する開口部５が設けられており、この腕時計ケース１の上面には、図２および図３に示すように、時計ガラス２が取り付けられている。また、この腕時計ケース１の内部には、図３および図４に示すように、時計モジュール３が収納されており、この腕時計ケース１の下面には、図６に示すように、裏蓋４が防水リング４ａを介して取り付けられている。
【００１６】
また、この腕時計ケース１の１２時側と６時側とには、図１に示すように、時計バンド６が取り付けられており、この腕時計ケース１の３時側と９時側の各側面には、図１および図２に示すように、複数の押釦スイッチＳＷがそれぞれ設けられている。この場合、時計モジュール３は、図３および図４に示すように、時刻などの情報を表示する表示部３ａなどの時計機能に必要な各種の部品を備えている。また、この時計モジュール３は、その上部に中枠７を介して透明なソーラーパネル８が配置され、このソーラーパネル８が時計ガラス２の下面に接近した状態で腕時計ケース１内に下側から組み込まれている。
【００１７】
ところで、時計ガラス２は、無機ガラスまたは有機ガラスからなり、図１〜図４に示すように、ほぼ四角形の平板状に形成され、その下面全体が平坦面に形成され、その左右両側つまり３時側と９時側との両側に位置する端部２ａ側の上面に傾斜面２ｂが形成された構成になっている。また、腕時計ケース１の上面は、１２時側と６時側との上下の両側部を除いて平坦面に形成されている。すなわち、腕時計ケース１の上面は、図４に示すように、３時側と９時側との左右両側の端部１ａに連続する平坦面に形成され、時計ガラス２の左右両側の端部２ａが外部側方に露呈するように形成されている。
【００１８】
この場合、時計ガラス２は、図６に示すように、その左右両側の端部２ａが腕時計ケース１の上面における左右両側の端部１ａよりも僅かに（約０.３ｍｍだけ）腕時計ケース１の内側に位置する大きさに形成され、これにより時計ガラス２の左右両側の端部２ａが腕時計ケース１の上面における左右両側の端部１ａから外部側方に突出しないように形成されている。また、腕時計ケース１の上面における１２時側と６時側との上下両側部には、図３および図６に示すように、段差部１ｂが時計ガラス２とほぼ同じ厚みだけ、一段高く形成されている。
【００１９】
この腕時計ケース１の上面には、図５〜図８に示すように、開口部５の内周に沿って接着剤１０が塗布されている。この接着剤１０は、１液性エポキシ系樹脂からなる熱硬化型のもので、硬化時間が２液性のものに比べて長く、塗布中に硬化しないものである。すなわち、この接着剤１０は、図５〜図７に示すように、ディスペンサ９によって腕時計ケース１の上面に所定の軌跡、つまり腕時計ケース１の上面における開口部５の内周面に沿う軌跡を描いて塗布され、時計ガラス２によって所定圧力で加圧された際に、図８に示すように、厚みが約０.１ｍｍで、塗布領域Ｅの幅Ｅｗが約１.２ｍｍ〜１.５ｍｍになる。
【００２０】
また、この腕時計ケース１の上面における接着剤１０の塗布領域Ｅの外周側に位置する箇所には、図５および図６に示すように、堰き止め溝１１が設けられている。すなわち、この堰き止め溝１１は、図５〜図８に示すように、断面が矩形状の凹溝であり、その幅Ｗ１が約０.６ｍｍで、深さＨ１が約０.３〜０.５ｍｍに形成され、腕時計ケース１の３時側と９時側との左右両側の端部１ａに沿ってそれぞれほぼ直線状に設けられている。
【００２１】
また、この腕時計ケース１の上面における接着剤１０の塗布開始位置１０ａと塗布終了位置１０ｂとに対応する塗布領域Ｅの外周側に位置する箇所には、図５に示すように、接着剤溜り部１２が堰き止め溝１１に連続して設けられている。すなわち、接着剤１０は、図５に示すように、１２時側と９時側とのほぼ中間に位置する左上隅から塗布を開始し、腕時計ケース１の上面における開口部５の内周面に沿って一周して左上隅で終了する際、塗布開始位置１０ａと塗布終了位置１０ｂとが重複して塗布される。これにより、接着剤溜り部１２は、接着剤１０の塗布開始位置１０ａと塗布終了位置１０ｂとに対応する腕時計ケース１の上面における左上隅に、面積の広いほぼ三角形の凹部状に形成されている。
【００２２】
さらに、この腕時計ケース１の上面には、図５〜図８に示すように、補助堰き止め溝１３が接着剤１０の塗布領域Ｅの内周側に沿って設けられている。すなわち、この補助堰き止め溝１３は、断面形状が半円弧状の凹溝であり、その深さＨ２が約０．３ｍｍで外周側の堰き止め溝１１の深さＨ１とほぼ同じ（Ｈ２＝Ｈ１）に形成され、且つその溝幅Ｗ２が約０.３ｍｍで、外周側の堰き止め溝１１の溝幅Ｗ１よりも小さく（Ｗ２＜Ｗ１）形成され、腕時計ケース１の上面における開口部５の内周に沿って一周する連続した環状に形成されている。
【００２３】
一方、時計ガラス２の下面における外周部には、図６および図８に示すように、腕時計ケース１の上面を覆う化粧層１４が印刷などによって設けられている。この化粧層１４は、不透明なインクからなり、少なくとも外周側の堰き止め溝１１、接着剤溜り部１２、接着剤１０の塗布領域Ｅ、および内周側の補助堰き止め溝１３を覆い隠すことにより、外部から見えないように構成されている。
【００２４】
このような時計ガラス２を腕時計ケース１に取り付けるための取付冶具１５は、図９および図１０に示すように構成されている。すなわち、この取付冶具１５は、冶具本体１６を備えており、この冶具本体１６の上面における前後部（図９では上下部）には、腕時計ケース１を保持するための一対の保持部材１７が固定されている。この一対の保持部材１７間における左右両側には、スライド部材１８が左右方向にスライド可能に取り付けられている。
【００２５】
また、このスライド部材１８の上面には、時計ガラス２の取付位置を調整する一対の位置調整板１９が左右方向にスライド可能に取り付けられている。すなわち、この位置調整板１９は、これに設けられた左右方向に細長い一対の長孔１９ａと、この一対の長孔１９ａに上方からそれぞれ挿入してスライド部材１８に螺着する一対の固定ねじ１９ｂとを備えている。これにより、一対の位置調整板１９は、各固定ねじ１９ｂを緩めると、各長孔１９ａに沿って左右方向に移動し、各固定ねじ１９ｂを締め付けると、スライド部材１８に固定されるように構成されている。
【００２６】
次に、この取付冶具１５を用いて、時計ガラス２を腕時計ケース１に取り付ける場合について説明する。
まず、一対のスライド部材１８を互いに離れる方向に向けてスライドさせると共に、各固定ねじ１９ｂを緩めて一対の位置調整板１９を互いに離れる方向にスライドさせる。この状態で、腕時計ケース１を一対の保持部材１７上にセットする。そして、一対のスライド部材１８を互いに接近する方向にスライドさせた後、一対の位置調整板１９を左右にスライドさせることにより、時計ガラス２を腕時計ケース１の所定位置にセットできるように調整し、この状態で各固定ねじ１９ｂを締めて一対の位置調整板１９を一対のスライド部材１８上に固定する。
【００２７】
この状態で、一対の保持部材１７上にセットされた腕時計ケース１の上面に接着剤１０を塗布する。このときには、接着剤１０を塗布するディスペンサ９を腕時計ケース１の上面に対して垂直に起立させ、この垂直に起立したディスペンサ９をＸ−Ｙプロッタと同じ機構の移動装置（図示せず）で移動させることにより、腕時計ケース１の上面における所定領域に接着剤１０を塗布する。この場合、移動装置は、Ｘ−Ｙ座標のデータに基づくコンピュータ制御により、ディスペンサ９を自動的に移動させて、図５に示すように、接着剤１０の塗布軌跡Ｋを正確に描く。
【００２８】
この後、時計ガラス２を腕時計ケース１上にセットする。このときには、一対の位置調整板１９が予め位置調整されているので、この一対の位置調整板１９によって時計ガラス２が正確に腕時計ケース１の上面に配置される。なお、このときには、一対の固定ねじ１９ｂを緩めて一対の位置調整板１９を左右方向に移動させることにより、時計ガラス２を腕時計ケース１の上面に対し偏心させた位置にセットさせても良い。
【００２９】
この状態で、時計ガラス２を加圧して腕時計ケース１に押し付けると、図８に示すように、接着剤１０が押されて外周側と内周側とに向けて流れ、接着剤１０が均一な厚みになる。これにより、時計ガラス２が腕時計ケース１の上面に取り付けられる。この後は、スライド部材１８を互いに離れる方向に移動させて時計ガラス２に対する位置規制を解除することにより、腕時計ケース１を取付冶具１５から取り外すことができる。
【００３０】
このように、この腕時計のガラス取付構造によれば、腕時計ケース１の上面に時計ガラス２を接着剤１０によって取り付けることにより、少なくとも腕時計ケース１の左右両側の端部１ａに従来例のような取付段部を設ける必要がなく、時計ガラス２の左右両側の端部２ａを腕時計ケース１の左右両側の端部１ａから外部側方に露呈させた状態で、腕時計ケース１の上面に時計ガラス２を取り付けることができ、これにより腕時計のデザインが斬新なものになり、腕時計全体の外観やデザインの向上を図ることができる。
【００３１】
この場合には、接着剤１０が時計ガラス２の加圧によって腕時計ケース１の上面に押し付けられて、腕時計ケース１の外周側に向けて流れ出しても、腕時計ケース１の上面における接着剤１０の塗布領域Ｅの外周側に設けられた堰き止め溝１１内に接着剤１０が流れ込むので、この外周側の堰き止め溝１１によって接着剤１０が腕時計ケース１の外周側の端部２ａに流れ出すのを確実に堰き止めることができ、これによっても腕時計全体の外観やデザインの向上を図ることができる。
【００３２】
また、腕時計ケース１の上面における塗布開始位置１０ａと塗布終了位置１０ｂとに対応する塗布領域Ｅの外周側に位置する箇所に接着剤溜り部１２が設けられているので、接着剤１０を塗布する際に、塗布開始位置１０ａと塗布終了位置１０ｂとに接着剤１０が多く塗布され、この多く塗布された箇所の接着剤１０が腕時計ケース１の外周側に向けて流れ出しも、接着剤溜り部１２によって接着剤１０が腕時計ケース１の外周側の端部１ａに流れ出すのを確実に防ぐことができる。これにより、接着剤１０が腕時計ケース１の左右両側の端部１ａから外部に流れ出すのを確実に防ぐことができ、これによっても腕時計全体の外観やデザインの向上を図ることができる。
【００３３】
また、腕時計ケース１の上面における接着剤１０の塗布領域Ｅの内周側には、補助堰き止め溝１３が腕時計ケース１の開口部５の内周に沿って一周する連続した環状に設けられているので、接着剤１０が時計ガラス２の加圧によって腕時計ケース１の上面に押し付けられて、腕時計ケース１の内周側に向けて流れ出しても、補助堰き止め溝１３内に接着剤１０が流れ込むことにより、この内周側の補助堰き止め溝１３によって接着剤１０が腕時計ケース１の内周側に流れ出すのを堰き止めることができる。
【００３４】
また、時計ガラス２の下面における外周部には、腕時計ケース１の上面を覆う化粧層１４が印刷などにより設けられているので、少なくとも堰き止め溝１１の外周側から補助堰き止め溝１３の内周側に亘る領域、つまり外周側の堰き止め溝１１、接着剤溜り部１２、接着剤１０の塗布領域Ｅ、および内周側の補助堰き止め溝１３の全てを覆って外部から見えないように隠すことができる。このため、外周側の堰き止め溝１１から接着剤１０が少しはみ出しても、また内周側の補助堰き止め溝１３から接着剤１０が少しはみ出しても、化粧層１４によって隠すことができ、これによっても腕時計全体の外観やデザインの向上を図ることができる。
【００３５】
さらに、時計ガラス２は、その外周側の端部２ａつまり左右両側の端部２ａが、腕時計ケース１の上面における外周側の端部１ａつまり左右両側の端部１ａよりも、僅かに腕時計ケース１の内側に位置する大きさに形成され、これにより時計ガラス２の端部２ａが腕時計ケース１の端部１ａから外部側方に突出しないように形成されているので、腕時計ケース１を落下させたり、物にぶつけたりしても、直接、時計ガラス２の端部２ａが衝撃を受けないようにすることができ、これにより時計ガラス２に欠けが生じたり、時計ガラス２が破損したりするのを防ぐことができる。
【００３６】
（実施形態２）
次に、図１１を参照して、この発明のガラス取付構造を腕時計に適用した実施形態２について説明する。なお、図１〜図１０に示された実施形態１と同一部分には同一符号を付して説明する。
この腕時計のガラス取付構造は、腕時計ケース１の上面における外周側に設けられた堰き止め溝１１に、これに流れ込んだ接着剤１０を溜めるための補助接着剤溜り部２０を設けた構成であり、これ以外は実施形態１とほぼ同じ構成になっている。
【００３７】
この場合、腕時計ケース１の上面における開口部２１の形状が実施形態１と異なり、これに伴って接着剤１０の塗布軌跡Ｋ、補助堰き止め溝２２の形状、および時計ガラス２の化粧層１４の形状も、実施形態１と異なっている。すなわち、腕時計ケース１の開口部２１は、ほぼ四角形状をなし、その各辺の中間部、つまり上下辺と左右辺との各中間部にそれぞれ開口部２１の内側へ向けて突出するほぼ台形状の突出部２３が設けられている。
【００３８】
補助接着剤溜り部２０は、図１１に示すように、腕時計ケース１の上面における接着剤１０の塗布領域Ｅの外周側に位置して腕時計ケース１の上面における左右両側の端部１ａに沿って設けられた外周側の堰き止め溝１１の中間部に位置し、且つ左右両側の突出部２３に対応する形状のほぼ台形状をなし、腕時計ケース１の開口部２１側に向けて突出して設けられている。この場合にも、接着剤１０の塗布開始位置１０ａと塗布終了位置１０ｂとに対応する箇所には、実施形態１と同様、接着剤溜り部１２が設けられている。
【００３９】
また、接着剤１０の塗布軌跡Ｋは、図１１に示すように、腕時計ケース１の開口部２１の内周面に沿って設けられている。すなわち、この塗布軌跡Ｋは、腕時計ケース１の内周面がほぼ四角形状をなし、その各辺の中間部に設けられた各突出部２３の箇所が、この突出部２３に沿って屈曲することにより、補助接着剤溜り部２０を避けた状態で描かれている。また、補助堰き止め部２２は、接着剤１０の塗布軌跡Ｋの内周側に位置し、且つ腕時計ケース１の開口部２１の内周面に沿って設けられている。この場合にも、補助堰き止め溝２２は、実施形態１と同様、その溝幅Ｗ２が外周側の堰き止め溝１１の溝幅Ｗ１よりも狭く（Ｗ２＜Ｗ１）形成されている（図７参照）。また、時計ガラス２の化粧層１４も、腕時計ケース１の開口部２１を除く腕時計ケース１の上面と同じ形状に形成されている。
【００４０】
このような腕時計のガラス取付構造においても、実施形態１と同様の作用効果があるほか、外周側の堰き止め溝１１の中間部に補助接着剤溜り部２０が設けられているので、接着剤１０が時計ガラス２の加圧によって腕時計ケース１の外周側に向けて流れ出し、腕時計ケース１の上面に設けられた外周側の堰き止め溝１１内に接着剤１０が流れ込んで溢れても、この溢れた接着剤１０を外周側の堰き止め溝１１における中間部に連続して設けられた接着剤溜り部２０に溜めることができる。
【００４１】
このため、接着剤１０が外周側の堰き止め溝１１内で溢れても、腕時計ケース１の外周側の端部２ａに流れ出すのを確実に防ぐことができるので、接着剤１０の塗布量を少し多くしても、また時計ガラス２の加圧力を少し強くしても、接着剤１０のはみ出しを確実に防ぐことができ、これにより実施形態１よりも時計ガラス２を腕時計ケース１の上面に強固に取り付けることができる。
【００４２】
（実施形態３）
次に、図１２および図１３を参照して、この発明のガラス取付構造を腕時計に適用した実施形態３について説明する。この場合にも、図１〜図１０に示された実施形態１と同一部分には同一符号を付して説明する。
この腕時計のガラス取付構造は、腕時計ケース１の上面に加飾部２５を設けた構成であり、これ以外は実施形態１とほぼ同じ構成になっている。
【００４３】
すなわち、加飾部２５は、腕時計ケース１の上面における外周側の堰き止め溝１１よりも更に外周側に設けられた加飾溝２６内に加飾材２７を充填した構成になっている。この場合、加飾溝２６は、外周側の堰き止め溝１１に沿って腕時計ケース１の上面に設けられているが、時計ガラス２の全周に沿って設けられていても良い。また、加飾材２７は、カラーインク、夜光塗料、蓄光塗料などである。また、時計ガラス２の下面に設けられた化粧層１４には、スリット状の透明な窓部２８が加飾部２５に対応して設けられている。
【００４４】
このような腕時計のガラス取付構造によれば、実施形態１と同様の作用効果があるほか、腕時計ケース１の上面に設けられた加飾部２４によって装飾効果を付加することができる。すなわち、時計ガラス２の下面に化粧層１４が設けられていても、この化粧層１４に設けられた透明な窓部２８を通して腕時計ケース１の上面に設けられた加飾部２４を見ることができるので、実施形態１よりも、より一層、腕時計全体の外観やデザインの向上を図ることができる。
【００４５】
（実施形態４）
次に、図１４〜図１７を参照して、この発明のガラス取付構造を腕時計に適用した実施形態４について説明する。この場合にも、図１〜図１０に示された実施形態１と同一部分には同一符号を付して説明する。
この腕時計のガラス取付構造は、腕時計ケース１の上面に取付凹部３０を設け、この取付凹部３０にスペーサ部材３１を設け、このスペーサ部材３１の一部３１ａを時計ガラス２とソーラーパネル８との間に配置した構成であり、これ以外は実施形態１とほぼ同じ構成になっている。
【００４６】
この場合、ソーラーパネル８は、図１４および図１６に示すように、中枠７の上面に両面接着テープ３２によって接着され、この状態で腕時計ケース１内に時計モジュール３と共に組み込まれている。すなわち、このソーラーパネル８は、時計ガラス２の下面に接近した状態で、その外周端面が腕時計ケース１の上面における開口部５内にその内周面に対応して配置されている。
【００４７】
また、このソーラーパネル８は、その下面に設けられた電極（図示せず）がコイルばね３３によって時計モジュール３の回路基板（図示せず）と電気的に接続され、これにより発電した電力を時計モジュール３に供給するように構成されている。この場合、コイルばね３３は、図１７に示すように、中枠７の貫通孔７ａを通してソーラーパネル８の下面と時計モジュール３の回路基板とに弾接している。
【００４８】
また、腕時計ケース１の上面における左右両側の内周部のほぼ中間部には、図１４、図１５および図１７に示すように、取付凹部３０が腕時計ケース１の内周面側に開放されて設けられている。この取付凹部３０は、図１７に示すように、その深さが約０.３ｍｍで、腕時計ケース１の内周端面から内周側の補助堰き止め溝１３に亘って設けられている。この取付凹部３０に取り付けられるスペーサ部材３１は、図１６および図１７に示すように、ＰＥＴ（ポリエチレンテレフタレート）などの透明な合成樹脂からなるシートであり、その厚みが約０.２５ｍｍで、取付凹部３０から腕時計ケース１の上面における開口部５内に一部３１ａが突出した状態で、取付凹部３０内に接着されている。
【００４９】
この場合、スペーサ部材３１は、その上面が取付凹部３０から上方に突出すことがなく、腕時計ケース１の上面から僅かに（約０.０５ｍｍ）低い状態で配置され、これによりスペーサ部材３１の上面と時計ガラス２の下面との間の僅かな隙間に接着剤１０が流れ込むように構成されている。また、このスペーサ部材３１は、腕時計ケース１の内側に突出する一部３１ａの長さが約０.７〜１.０ｍｍに形成され、この突出した一部３１ａが時計ガラス２とソーラーパネル８との間に配置され、これにより時計ガラス２の下面とソーラーパネル８の上面との相互接触を防ぐように構成されている。
【００５０】
このような腕時計のガラス取付構造によれば、実施形態１と同様の作用効果があるほか、腕時計ケース１の上面に設けられた取付凹部３０にスペーサ部材３１が設けられ、このスペーサ部材３１の一部３１ａが時計ガラス２とソーラーパネル８との間に配置されているので、時計ガラス２にソーラーパネル８を接近させて配置しても、時計ガラス２とソーラーパネル８との相互の接触を防ぐことができると共に、高密度実装を図ることができる。
【００５１】
この場合、ソーラーパネル８は、中枠７に両面接着テープ３２によって接着された状態で、時計モジュール３と電気的に接続されるコイルばね３３のばね力によって押し上げられ、且つこのコイルばね３３のばね力によってソーラーパネル８が中枠７から剥離しても、腕時計ケース１の内側に突出したスペーサ部材３１の突出した一部３１ａによって時計ガラス２とソーラーパネル８とが互いに接触するのを確実に防ぐことができる。
【００５２】
なお、上記実施形態１〜４では、腕時計ケース１の上面における内周側の補助堰き止め溝１３をその外周側の堰き止め溝１１よりも小さく形成した場合について述べたが、これに限らず、例えば図１８に示すように、腕時計ケース１の上面におけるその内周側の補助堰き止め溝１３と外周側の堰き止め溝１１とを同じ大きさ、つまり同じ溝幅で内周側の補助堰き止め溝１３を大きく形成しても良い。
【００５３】
また、これに限らず、図１８に示すように、外周側の堰き止め溝１１の内周縁１１ａと内周側の補助堰き止め溝１３の外周縁１３ａとにそれぞれ円弧状の面取り部を設け、接着材１０が各溝１１、１３内に流れ込みやすくしても良く、さらに図１８に示すように、腕時計ケース１の上面側に位置する内周面に、腕時計ケース１の上面に対し傾斜する見切り用の傾斜面１ｃを形成して、更なるデザインの向上を図るようにしても良い。
【００５４】
また、上記実施形態１〜４およびその変形例では、腕時計ケース１の上面が３時側と９時側との左右両側の端部１ａのみに連続する平坦面に形成され、時計ガラス２の３時側と９時側との左右両側の端部２ａのみを腕時計ケース１の外部側方に露呈させた場合について述べたが、これに限らず、腕時計ケース１の上面全体を平坦面に形成し、時計ガラス２の外周端部の全てを腕時計ケース１の外部側方に露呈させるように構成しても良い。この場合には、接着剤１０の塗布領域Ｅの外周側に、堰き止め溝１１を塗布領域Ｅの全周に亘って環状に設ければ良い。
【００５５】
また、上記実施形態１〜４およびその変形例では、時計ガラス２の下面に設けられた化粧層１４が、腕時計ケース１の開口部５、２１を除いて、腕時計ケース１の上面と対応する形状に形成されている場合について述べたが、これに限らず、例えば堰き止め溝１１の外周側から補助堰き止め溝１３の内周側に亘る領域を覆う形状であれば、デザインに応じた自由な形状に形成しても良い。
【００５６】
さらに、上記実施形態１〜４およびその変形例では、腕時計に適用した場合について述べたが、必ずしも腕時計である必要はなく、例えばトラベルウオッチ、置き時計、目覚まし時計、掛け時計などの各種の時計に適用することができるほか、携帯電話機、携帯情報端末機（ＰＤＡ）、モバイルなどの各種の電子機器にも広く適用することができる。
【図面の簡単な説明】
【００５７】
【図１】この発明を腕時計に適用した実施形態１の正面図である。
【図２】図１において時計バンドを取り外した腕時計の斜視図である。
【図３】図２のＡ−Ａ矢視における拡大断面図である。
【図４】図２の分解斜視図である。
【図５】図４の腕時計ケースの正面図である。
【図６】図２のＢ−Ｂ矢視における要部の拡大断面図である。
【図７】図６の腕時計ケースの上面に接着剤を塗布した状態を示した要部の拡大断面図である。
【図８】図７の腕時計ケースの上面に時計ガラスを接着させた状態を示した要部の拡大断面図である。
【図９】図５の腕時計ケースに時計ガラスを接着するための取付冶具を示した平面図である。
【図１０】図９の取付冶具のＣ−Ｃ矢視における断面図である。
【図１１】この発明を腕時計に適用した実施形態２において腕時計ケースの上面から時計ガラスの右半分を取り除いた状態を示した正面図である。
【図１２】この発明を腕時計に適用した実施形態３の正面図である。
【図１３】図１２のＤ−Ｄ矢視における要部の拡大断面図である。
【図１４】この発明を腕時計に適用した実施形態４の分解斜視図である。
【図１５】図１４の腕時計ケースを示した正面図である。
【図１６】図１５のＥ−Ｅ矢視における拡大断面図である。
【図１７】図１６の要部を示した拡大断面図である。
【図１８】この発明のガラス取付構造の変形例を示した要部の拡大断面図である。
【符号の説明】
【００５８】
１  腕時計ケース
１ａ  腕時計ケースの端部
２  時計ガラス
２ａ  時計ガラスの端部
３  時計モジュール
５、２１  開口部
７  中枠
８  ソーラーパネル
９  ディスペンサ
１０  接着剤
１１  堰き止め部
１２  接着剤溜り部
１３、２２  補助堰き止め部
１４  化粧層
２０  補助接着剤溜り部
２５  加飾部
３０  取付凹部
３１  スペーサ部材  
３１ａ  スペーサ部材の一部
Ｅ  接着剤の塗布領域
【図１】
2009002767.tif 000003
【図２】
2009002767.tif 000004
【図３】
2009002767.tif 000005
【図４】
2009002767.tif 000006
【図５】
2009002767.tif 000007
【図６】
2009002767.tif 000008
【図７】
2009002767.tif 000009
【図８】
2009002767.tif 000010
【図９】
2009002767.tif 000011
【図１０】
2009002767.tif 000012
【図１１】
2009002767.tif 000013
【図１２】
2009002767.tif 000014
【図１３】
2009002767.tif 000015
【図１４】
2009002767.tif 000016
【図１５】
2009002767.tif 000017
【図１６】
2009002767.tif 000018
【図１７】
2009002767.tif 000019
【図１８】
2009002767.tif 000020